(57)【要約】【課題】画像の表示変更に掛かる時間を長くすることなく残像を消去できるようにする。【解決手段】新たな画像の表示が終了すると、残像消去処理を行う。残像消去処理においては、一の走査線１１２を選択し、データ線１１４を制御して奇数列の画素を白、偶数列の画素を黒にした後、奇数列の画素を黒、偶数列の画素を白にする。この後、選択している行の画像を再描画する。走査線１１２を順次排他的に選択し、走査線１１２を選択する毎に、データ線１１４を制御して奇数列の画素を白、偶数列の画素を黒にした後、奇数列の画素を黒、偶数列の画素を白にし、選択している行の画像を再描画する処理を行う。【選択図】図１
2012194345.tif 000002
【特許請求の範囲】
【請求項１】
帯電した粒子を第１電極と前記第１電極に対となる第２電極との間に備える複数の画素を備えた表示部を具備する電気光学装置の制御装置であって、
前記表示部に表示させる画像を記憶する記憶部に記憶された画像に基づいて、前記表示部に画像を表示させる描画部と、
前記表示部内に定められた複数領域を順番に選択し、選択した領域内にある画素を初期化する初期化部と、
前記初期化部で画素が初期化された領域の画像を前記記憶部から取得し、取得した画像を当該初期化された領域に表示させる再描画部と
を有することを特徴とする電気光学装置の制御装置。
【請求項２】
前記初期化部により初期化される領域は面積階調の中間調にされること
を特徴とする請求項１に記載の電気光学装置の制御装置。
【請求項３】
前記領域は、互いに隣り合い、それぞれ１または複数の前記画素からなる第１領域および第２領域を有し、前記第１領域の画素の階調を第１階調、前記第２領域の画素の階調を第２階調とした後、前記第１領域の画素の階調を第２階調、前記第２領域の画素の階調を第１階調とすること
を特徴とする請求項２に記載の電気光学装置の制御装置。
【請求項４】
前記初期化部により初期化される領域内においては、各画素が中間調にされること
を特徴とする請求項１に記載の電気光学装置の制御装置。
【請求項５】
帯電した粒子を第１電極と前記第１電極に対となる第２電極との間に備える複数の画素を備えた表示部を具備する電気光学装置の制御方法であって、
前記表示部に表示させる画像を記憶する記憶部に記憶された画像に基づいて、前記表示部に画像を表示させる描画工程と、
前記表示部内に定められた複数領域を順番に選択し、選択した領域内にある画素を初期化する初期化工程と、
前記初期化工程で画素が初期化された領域の画像を前記記憶部から取得し、取得した画像を当該初期化された領域に表示させる再描画工程と
を有することを特徴とする電気光学装置の制御方法。
【請求項６】
帯電した粒子を第１電極と前記第１電極に対となる第２電極との間に備える複数の画素を備えた表示部を具備する電気光学装置であって、
前記表示部に表示させる画像を記憶した記憶部に記憶された画像に基づいて、前記表示部に画像を表示させる描画部と、
前記表示部内に定められた複数領域を順番に選択し、選択した領域内にある画素を初期化する初期化部と、
前記初期化部で画素が初期化された領域の画像を前記記憶部から取得し、取得した画像を当該初期化された領域に表示させる再描画部と
を有することを特徴とする電気光学装置。
【請求項７】
請求項６に記載の電気光学装置を有することを特徴とする電子機器。
【発明の詳細な説明】
【技術分野】
【０００１】
本発明は、電気光学装置の表示部を初期化する技術に関する。
【背景技術】
【０００２】
電気泳動方式の表示装置の画質を向上させる技術として特許文献１に開示された技術がある。特許文献１に開示された表示装置は、画像を変更する前に画素を白にする第１リセット期間と、画素を黒と白の間の中間調にする第２リセット期間があり、この第２リセット期間を経た後に画素が黒または白にされる。第２リセット期間において中間調にすることにより黒の電気泳動粒子と白の電気泳動粒子が適度に混合して動きやすい状態となり、この状態から画素の階調を黒または白に駆動すると画素は確実に黒または白になる。
【先行技術文献】
【特許文献】
【０００３】
【特許文献１】特開２００６−１８９４６６号公報
【発明の概要】
【発明が解決しようとする課題】
【０００４】
ところで、特許文献１の表示装置においては、画素を駆動して新たに画像を変更する前に全画素について第１リセット期間と第２リセット期間を設けるため、新たな画像を表示するまでに時間がかかることとなる。
【０００５】
本発明は、上述した課題に鑑みてなされたもので、その目的の１つは、画像の表示変更に掛かる時間を長くすることなく残像を消去できるようにすることにある。
【課題を解決するための手段】
【０００６】
上記目的を達成するために本発明に係る電気光学装置の制御装置は、帯電した粒子を第１電極と前記第１電極に対となる第２電極との間に備える複数の画素を備えた表示部を具備する電気光学装置の制御装置であって、前記表示部に表示させる画像を記憶する記憶部に記憶された画像に基づいて、前記表示部に画像を表示させる描画部と、前記表示部内に定められた複数領域を順番に選択し、選択した領域内にある画素を初期化する初期化部と、前記初期化部で画素が初期化された領域の画像を前記記憶部から取得し、取得した画像を当該初期化された領域に表示させる再描画部と、を有することを特徴とする。
本発明によれば、画像を変更した後に表示部内の定められた複数領域が順番に選択されて初期化され、初期化された領域は再描画されるため、画像の表示変更に掛かる時間を長くすることなく残像を消去できる。
【０００７】
また本発明においては、前記初期化部により初期化される領域は面積階調の中間調にされる構成であってもよい。
この構成によれば、初期化される領域は中間調となるため初期化されている領域が知覚されにくくなる。
【０００８】
また本発明においては、前記領域は、互いに隣り合い、それぞれ１または複数の前記画素からなる第１領域および第２領域を有し、前記第１領域の画素の階調を第１階調、前記第２領域の画素の階調を第２階調とした後、前記第１領域の画素の階調を第２階調、前記第２領域の画素の階調を第１階調とする構成であってもよい。
この構成によれば、帯電した粒子が第１電極と第２電極との間で攪拌されて移動しやすくなるため、再描画時に残像を確実に消去することができる。
【０００９】
また本発明においては、前記初期化部により初期化される領域内においては、各画素が中間調にされる構成であってもよい。
この構成によれば、初期化される領域内の各画素は中間調となるため初期化されている領域が知覚されにくくなる。
【００１０】
また上記目的を達成するために本発明に係わる電気光学装置の制御方法は、帯電した粒子を第１電極と前記第１電極に対となる第２電極との間に備える複数の画素を備えた表示部を具備する電気光学装置の制御方法であって、前記表示部に表示させる画像を記憶する記憶部に記憶された画像に基づいて、前記表示部に画像を表示させる描画工程と、前記表示部内に定められた複数領域を順番に選択し、選択した領域内にある画素を初期化する初期化工程と、前記初期化工程で画素が初期化された領域の画像を前記記憶部から取得し、取得した画像を当該初期化された領域に表示させる再描画工程と、を有することを特徴とする。
本発明によれば、画像を変更した後に表示部内の定められた複数領域が順番に選択されて初期化され、初期化された領域は再描画されるため、画像の表示変更に掛かる時間を長くすることなく残像を消去できる。
【００１１】
また上記目的を達成するために本発明に係わる電気光学装置は、帯電した粒子を第１電極と前記第１電極に対となる第２電極との間に備える複数の画素を備えた表示部を具備する電気光学装置であって、前記表示部に表示させる画像を記憶した記憶部に記憶された画像に基づいて、前記表示部に画像を表示させる描画部と、前記表示部内に定められた複数領域を順番に選択し、選択した領域内にある画素を初期化する初期化部と、前記初期化部で画素が初期化された領域の画像を前記記憶部から取得し、取得した画像を当該初期化された領域に表示させる再描画部と、を有することを特徴とする。
本発明によれば、画像を変更した後に表示部内の定められた複数領域が順番に選択されて初期化され、初期化された領域は再描画されるため、画像の表示変更に掛かる時間を長くすることなく残像を消去できる。
【００１２】
なお、本発明は、電気光学装置のみならず、当該電気光学装置を有する電子機器としても概念することができる。
【図面の簡単な説明】
【００１３】
【図１】本発明の一実施形態に係わる電気光学装置１の構成を示した図。
【図２】表示部３の部分断面図。
【図３】画素回路１１０の構成を示した図。
【図４】実施形態の動作を説明するための図。
【図５】残像消去処理の流れを示したフローチャート。
【図６】残像消去処理の動作を説明するための図。
【図７】残像消去処理の動作を説明するための図。
【図８】電子ブックリーダー１０００の外観図。
【図９】変形例に係わる初期化処理の動作を説明するための図。
【発明を実施するための形態】
【００１４】
［実施形態］
（実施形態の構成）
図１は、本発明の一実施形態に係わる電気光学装置１の構成を示した図である。電気光学装置１は、コントローラー２、表示部３、走査線駆動回路４、データ線駆動回路５およびＶＲＡＭ（Video Random Access Memory）６を備えている。表示部３においては、行方向（Ｘ方向）に沿ってｍ行の走査線１１２が設けられており、列方向（Ｙ方向）に沿ってｎ列のデータ線１１４が設けられている。また表示部３においては、行方向と列方向に沿って画素回路１１０と画素１００がｍ行×ｎ列でマトリクス状に設けられている。画素回路１１０は、走査線１１２およびデータ線１１４に接続されている。例えば、１行１列目の画素回路１１０は、１行目の走査線１１２と１列目のデータ線１１４に接続されている。ＶＲＡＭ６（記憶部）は、ｍ行×ｎ列で配列された画素１００の各々に対応した記憶領域を有するビデオＲＡＭであり、各記憶領域はコントローラー２によってアクセスされる。なお、後述するように表示部３の表示内容を変更する時には、ＶＲＡＭ６には上位装置から変更後の画像が書き込まれる。
【００１５】
図２は、表示部３の部分断面図である。表示部３は、図２に示したように大別して第１基板１０、電気泳動層２０、第２基板３０によって構成されている。第１基板１０は、絶縁性及び可撓性を有する基板１１上に回路の層が形成された基板である。基板１１は、本実施形態においてはポリカーボネートで形成されている。なお、基板１１としては、ポリカーボネートに限定されることなく、軽量性、可撓性、弾性及び絶縁性を有する樹脂材料を用いることができる。また、基板１１は、可撓性を持たないガラスで形成されていてもよい。基板１１の表面には、接着層１１ａが設けられ、接着層１１ａの表面には回路層１２が積層されている。
【００１６】
回路層１２は、行方向に配列された複数の走査線１１２と、各走査線１１２と電気的に絶縁を保つように設けられ列方向に配列された複数のデータ線１１４とを有している。また、回路層１２は、スイッチング素子であるｎチャネル型の薄膜トランジスター（thin film transistor：以下「ＴＦＴ」と略称する）で構成された画素回路１１０と、画素電極１３ａ（第１電極）を有している。画素回路１１０の構成については後述する。
【００１７】
電気泳動層２０は、バインダー２２と、バインダー２２によって固定された複数のマイクロカプセル２１で構成されており、画素電極１３ａ上に形成されている。なお、マイクロカプセル２１と画素電極１３ａとの間には、接着剤により形成された接着層を設けてもよい。
【００１８】
バインダー２２としては、マイクロカプセル２１との親和性が良好で電極との密着性が優れ、且つ絶縁性を有するものであれば特に制限はない。マイクロカプセル２１内には、分散媒と電気泳動粒子が格納されている。マイクロカプセル２１を構成する材料としては、アラビアゴム・ゼラチン系の化合物やウレタン系の化合物等の柔軟性を有するものを用いるのが好ましい。
【００１９】
分散媒としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などのいずれかを用いることができ、また、分散媒は、その他の油類であってもよい。また、これらの物質は単独又は混合して分散媒に用いることができ、さらに界面活性剤などを配合して分散媒としてもよい。
【００２０】
電気泳動粒子は、分散媒中で電界によって移動する性質を有する粒子（高分子あるいはコロイド）である。本実施形態においては白の電気泳動粒子と黒の電気泳動粒子がマイクロカプセル２１内に格納されている。黒の電気泳動粒子は、例えば、アニリンブラックやカーボンブラック等の黒色顔料からなる粒子であり、本実施形態では正に帯電されている。白の電気泳動粒子は、例えば、二酸化チタンや酸化アルミニウム等の白色顔料からなる粒子であり、本実施形態では負に帯電されている。
【００２１】
第２基板３０は、フィルム３１と、フィルム３１の下面に形成された共通電極層３２（第２電極）で構成されている。フィルム３１は、電気泳動層２０の封止及び保護の役割を担うものであり、例えばポリエチレンテレフタレートのフィルムである。フィルム３１は、透明で絶縁性を有している。共通電極層３２は、例えば、酸化インジウム膜（ＩＴＯ膜）などの透明な導電膜で構成されている。なお、本実施形態においてはフィルム３１側が、ユーザーが画像を視認する側となる。
【００２２】
図１に戻り、走査線駆動回路４は、表示部３の各走査線１１２と接続されており、１、２、…、ｍ行目の走査線１１２に走査信号Ｙ１、Ｙ２、…、Ｙｍを供給する。具体的には、走査線駆動回路４は、走査線１１２を１、２、…、ｍ行目という順番で排他的に選択し、選択した走査線１１２にＨ（Ｈｉｇｈ）レベルの信号を供給し、選択されていない走査線１１２にＬ（Ｌｏｗ）レベルの信号を供給する。
【００２３】
データ線駆動回路５は、表示部３の各データ線１１４に接続されており、コントローラー２から供給される信号に応じて、１、２、…、ｎ列目のデータ線１１４にデータ信号Ｘ１、Ｘ２、…、Ｘｎを供給する。
【００２４】
コントローラー２は、表示部３が備える画素を駆動するための各種信号を出力して各部を制御する制御装置である。コントローラー２は、全体制御部２Ａと、描画部２Ｂと、初期化部２Ｃと、再描画部２Ｄを有する。全体制御部２Ａは、描画部２Ｂと、初期化部２Ｃと、再描画部２Ｄを制御するものである。描画部２Ｂは、ＶＲＡＭ６の内容が変更された場合に、ＶＲＡＭ６に書き込まれた画像を走査線駆動回路４とデータ線駆動回路５を制御して表示部３に表示させるものである。初期化部２Ｃは、表示部３において予め定められた複数の領域を順次排他的に選択し、選択した領域内の画素１００を走査線駆動回路４とデータ線駆動回路５を制御して初期化するものである。なお、本実施形態においては、選択される一の領域は１行分の画素１００の領域である。再描画部２Ｄは、初期化部２Ｃにより画素１００が初期化された領域について、ＶＲＡＭ６に書き込まれている画像を取得し、取得した画像が選択されている領域において表示されるように走査線駆動回路４とデータ線駆動回路５を制御するものである。なお、コントローラー２、走査線駆動回路４およびデータ線駆動回路５を合わせて電気光学装置１の制御装置と定義することもできる。
【００２５】
図３は、画素回路１１０の構成を示した図である。なお、図３においては、１行１列目の画素回路１１０を示している。各画素回路１１０の構成は同じであるため、ここでは代表して１行１列目の画素回路１１０について説明し、他の画素回路１１０については説明を省略する。
【００２６】
画素回路１１０では、ＴＦＴ１３１のゲートが走査線１１２に接続され、ＴＦＴ１３１のソースがデータ線１１４に接続されている。また、ＴＦＴ１３１のドレインが画素電極１３ａに接続されている。画素電極１３ａは、共通電極層３２と対向し、画素電極１３ａと共通電極層３２との間には電気泳動層２０が挟まれている。この一の画素電極１３ａと共通電極層３２との間にあるマイクロカプセル２１が表示部３において一の画素１００となる。なお、画素回路１１０においては、電気泳動層２０と並列に保持容量Ｃ１が接続されている。また、共通電極層３２の電位は予め定められた電位Ｖｃｏｍにされている。
【００２７】
（表示部３に画像を表示する時の動作）
次に、表示部３に画像を表示する時の動作について説明する。まず、上位装置からＶＲＡＭ６に新たに表示部３に表示する画像が書き込まれる。コントローラー２の描画部２Ｂは、ＶＲＡＭ６に新たに画像が書き込まれると、走査線駆動回路４を制御すると共に、データ線駆動回路５へＶＲＡＭ６に書き込まれた画像を表す映像信号を供給する。走査線駆動回路４により一の走査線１１２が選択され、選択された走査線１１２がＨレベルとなると、当該走査線１１２にゲートが接続されたＴＦＴ１３１がオン状態になり、画素電極１３ａがデータ線１１４に接続される。データ線駆動回路５は、コントローラー２から供給された映像信号に応じて各データ線１１４に画素の階調を規定するデータ信号を供給する。走査線１１２がＨレベルであるときに、データ線１１４にデータ信号を供給すると、当該データ信号は、オン状態になったＴＦＴ１３１を介して画素電極１３ａに印加される。
走査線１１２がＬレベルになると、ＴＦＴ１３１はオフ状態になるが、データ信号によって画素電極１３ａに印加された電圧は、保持容量Ｃ１に蓄積され、画素電極１３ａの電位及び共通電極層３２の電位との電位差（電圧）に応じて電気泳動粒子が移動する。
例えば、共通電極層３２の電位Ｖｃｏｍに対して画素電極１３ａの電位が高位（例えば＋１５Ｖ）である場合、負に帯電している白の電気泳動粒子が画素電極１３ａ側に移動し、正に帯電している黒の電気泳動粒子が共通電極層３２側に移動して画素１００が黒の表示（反射率が予め定められた反射率以下の状態）となる。また、共通電極層３２の電位Ｖｃｏｍに対して画素電極１３ａの電位が低位（例えば−１５Ｖ）である場合、正に帯電している黒の電気泳動粒子が画素電極１３ａ側に移動し、負に帯電している白の電気泳動粒子が共通電極層３２側に移動して画素１００が白の表示（反射率が予め定められた反射率以上の状態）となる。なお、画素１００は記憶性を有するため、画素電極１３ａへの電圧の印加が停止されても黒または白の表示状態を維持する。
【００２８】
（残像を消去する時の動作）
例えば、画像を変更する前に全画面を黒にしてから白にするような処理を行わずに表示部３に表示する画像を図４（ａ）の画像Ｇ１０から図４（ｂ）の画像Ｇ２０に変更した場合、画像Ｇ１０が表示されていた領域Ａには画像Ｇ１０の残像が残ってしまう。このため、コントローラー２は、ＶＲＡＭ６に書き込まれた画像の描画が終了したことを契機として、残像を消去する残像消去処理を行う。
【００２９】
図５は、残像消去処理の流れを示したフローチャートである。残像消去処理においては、まずコントローラー２の初期化部２Ｃによって走査線駆動回路４が制御されて一の走査線１１２が選択され、選択された走査線１１２がＨレベルにされる（ステップＳ１００）。なお、本実施形態においては、残像消去処理を開始して最初に選択される走査線１１２は１行目の走査線１１２である。一の走査線１１２が選択されると、コントローラー２によってデータ線駆動回路５が制御され、奇数列のデータ線１１４がＬレベルにされ、偶数列のデータ線１１４がＨレベルにされる（ステップＳ１０１）。走査線１１２がされてＨレベルである時に奇数列のデータ線１１４がＬレベルにされ、偶数列のデータ線１１４がＨレベルにされると、奇数列の画素１００の画素電極１３ａが共通電極層３２の電圧Ｖｃｏｍに対して低位となり、偶数列の画素１００の画素電極１３ａが共通電極層３２の電圧Ｖｃｏｍに対して高位となる。すると、奇数列の画素１００は白となり、偶数列の画素１００は黒となる。ここで、選択された走査線１１２に係わる画素群においては、白の画素１００と黒の画素１００が走査線１１２の伸びた方向へ交互に並ぶこととなる。一の画素１００の領域は微少であるため、選択された走査線１１２に係わる画素の行は、人間の目には黒と白が混ざったグレーとして視認される。
【００３０】
次にコントローラー２の初期化部２Ｃによってデータ線駆動回路５が制御され、奇数列のデータ線１１４がＨレベルにされ、偶数列のデータ線１１４がＬレベルにされる（ステップＳ１０２）。ここで奇数列の画素１００の画素電極１３ａが共通電極層３２の電圧Ｖｃｏｍに対して高位となり、偶数列の画素１００の画素電極１３ａが共通電極層３２の電圧Ｖｃｏｍに対して低位となって、奇数列の画素１００は黒となり、偶数列の画素１００は白となる。ここでも白の画素１００と黒の画素１００が走査線１１２の伸びた方向へ交互に並び、選択された走査線１１２に係わる画素群は、人間の目には黒と白が混ざったグレーとして視認される。
【００３１】
次にコントローラー２の再描画部２Ｄは、選択されている走査線１１２の行の画像をＶＲＡＭ６にアクセスして取得し、取得した画像を表す映像信号をデータ線駆動回路５へ供給する（ステップＳ１０３）。データ線駆動回路５は、供給された映像信号に応じて各データ線１１４に画素１００の階調を規定するデータ信号を供給する。これにより、選択されている行の画像は再描画されることとなる。
【００３２】
コントローラー２は、ステップＳ１０３が終了すると、選択している走査線１１２が最後の行の走査線であるか判断する。ここで選択している走査線１１２が最後の行でない場合（ステップＳ１０４でＮＯ）、処理の流れをステップＳ１００に戻し、次の走査線１１２を選択してステップＳ１０１以降の処理を行う。この後、コントローラー２は、順次排他的に走査線１１２を選択し、一の走査線１１２を選択する毎にステップＳ１０１からステップＳ１０３までの処理を行う。コントローラー２は、最後の行の走査線１１２について第１ステップから第３ステップまでの処理を行い、ステップＳ１０４でＹＥＳと判断すると、残像消去処理を終了する。
【００３３】
図６（ａ）〜図６（ｃ）と、図７（ａ）〜図７（ｃ）は、画像Ｇ２０の左上部分の画素１００とその近傍の画素１００を拡大して示したものである。なお、図６（ａ）〜図６（ｃ）と、図７（ａ）〜図７（ｃ）においてハッチングがされている部分は残像を示している。例えば、ｉ行目においてステップＳ１０１の処理が行われると、図６（ａ）に示したように、ｉ行目の画素１００は奇数列の画素１００が白、偶数列の画素１００が黒となる。次にｉ行目においてステップＳ１０２の処理が行われると、図６（ｂ）に示したようにｉ行目の画素１００は奇数列の画素１００が黒、偶数列の画素１００が白となる。この後、ステップＳ１０３の処理が行われると、図６（ｃ）に示したようにｉ行目の画素１００は残像が消去されて白となる。
【００３４】
また、画像Ｇ２０の先頭の行であるｉ＋４行目においてステップＳ１０１の処理が行われると、図７（ａ）に示したように、ｉ＋４行目の画素１００は奇数列の画素１００が白、偶数列の画素１００が黒となる。ここで、画像Ｇ２０の領域も奇数列の画素１００が白、偶数列の画素１００が黒となる。次にｉ＋４行目においてステップＳ１０２の処理が行われると、図７（ｂ）に示したように、ｉ＋４行目の画素１００は奇数列の画素１００が黒、偶数列の画素１００が白となる。ここで、画像Ｇ２０の領域も奇数列の画素１００が黒、偶数列の画素１００が白となる。なお、ステップＳ１０１とステップＳ１０２を行うことで、各画素１００においては黒の電気泳動粒子と白の電気泳動粒子が画素電極１３ａと共通電極層３２との間で移動して攪拌され、各電気泳動粒子が移動しやすくなる。
この後、ｉ＋４行目においてステップＳ１０３の処理が行われると、図７（ｃ）に示したようにｉ＋４行目において画像Ｇ２０の領域内の画素１００は、残像消去処理が行われる前の黒の状態に戻り、残像があった領域の画素１００は、残像が消去されて白となる。なお、ステップＳ１０３が行われる前に電気泳動粒子は移動しやすい状態となっているため、ステップＳ１０３を行うと黒の電気泳動粒子は画素電極１３ａと共通電極層３２のいずれか一方に確実に移動し、白の電気泳動粒子は他方に確実に移動し、黒の電気泳動粒子と白の電気泳動粒子が混合した状態とならず、残像が消去されて画素１００が確実に黒または白となるのである。
【００３５】
また、本実施形態においては、上位装置からの指示を受けることなく、コントローラー２がＶＲＡＭ６に書き込まれた画像の描画が終了したことを契機として残像消去処理を行うため、上位装置から残像消去処理の実行を指示する必要がなく、簡易な構成で残像を消去することができる。
【００３６】
また、本実施形態においては以下のような効果も得られる。例えば、画素が白の領域に新たに黒の画像を表示する場合、黒の画像の輪郭部分の画素に隣り合う白の画素においても黒の電気泳動粒子が移動してしまい、黒として知覚される領域が黒にした画素の領域より広がって見えてしまうことがある。本実施形態においては、黒の画像の輪郭部分の画素に隣り合う画素は、ステップＳ１０１とステップＳ１０２によって画素が黒と白にされて黒の電気泳動粒子と白の電気泳動粒子が攪拌されたあと、ステップＳ１０３で白にされるので、白の画素において黒の電気泳動粒子が確実に画素電極１３ａ側に移動し、黒として知覚される領域が黒にした画素の領域より広がって見えることがない。
【００３７】
［電子機器］
次に、上述した実施形態に係る電気光学装置を適用した電子機器の例について説明する。図８は、当該電気光学装置を用いた電子ブックリーダーの外観を示した図である。電子ブックリーダー１０００は、板状のフレーム１００１と、ボタン９Ａ〜９Ｆと、上述した実施形態または変形例に係る電気光学装置を備えている。ただし、図においては電気光学装置のうち、表示部３のみが露出している。電子ブックリーダー１０００においては、電子書籍の内容が表示部３に表示され、ボタン９Ａ〜９Ｆを操作することにより電子書籍のページがめくられる。
なお、このほかにも、上述した実施形態や変形例に係る電気光学装置が適用可能な電子機器としては、時計や、電子ペーパー、電子手帳、電卓、携帯電話機等などが挙げられる。
【００３８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００３９】
上述した実施形態においては、ＶＲＡＭ６に書き込まれた画像の描画が終了したことを契機として残像消去処理が実行されるが、残像消去処理を実行するタイミングは、このタイミングに限定されるものではない。例えば、コントローラー２が時間を計り、予め定められた周期で残像消去処理を実行してもよい。電気泳動方式の表示装置は記憶性を有するため、画像を表示した後に画素電極１３ａに電圧を印加しなくても表示した画像を維持できるものの、画像を表示してから時間が経過すると時間の経過とともに電気泳動粒子が移動し、表示した画像の階調が変化してしまう。しかしながら、上述したように一定の周期で残像消去処理を実行すれば、移動した電気泳動粒子が再び画素電極１３ａ側または共通電極層３２側に移動するため、画像の階調を元の階調に戻すことができる。
また、一定の周期で残像消去処理を実行するのではなく、最後の行についてステップＳ１０３の処理が終了したら１行目に戻ってすぐに残像消去処理を開始するというように、常時残像消去処理が実行されている状態にしてもよい。
【００４０】
上述した実施形態の残像消去処理においてはステップＳ１０１からステップＳ１０３が行われるが、ステップＳ１０１またはステップＳ１０２の一方がなくてもよい。
また上述した実施形態においては、ステップＳ１０１では選択した行の画素１００について奇数列の画素１００を白、偶数列の画素１００を黒とし、ステップＳ１０２では奇数列の画素１００を黒、偶数列の画素１００を白としているが、ステップＳ１０１においては選択した行の画素１００を全て白とし、ステップＳ１０２においては選択した行の画素１００を全て黒としてもよい。また、ステップＳ１０１においては選択した行の画素１００を全て黒とし、ステップＳ１０２においては選択した行の画素１００を全て白としてもよい。この変形例でも電気泳動粒子が攪拌されるため、ステップＳ１０３において画素１００が確実に黒または白となる。
【００４１】
上述した実施形態の残像消去処理においては、走査線１１２は１行目から選択されるが、残像消去処理において最初に選択される走査線１１２は１行目のものに限定されるものではない。例えば、新たに描画された画像がａ行目からｂ行目までの範囲にある場合、残像消去処理において最初に選択する走査線１１２をａ行目のものとしてもよい。
また、図４（ａ）の画像Ｇ１０がｃ行目からｄ行目までに表示されている状態から、画像Ｇ１０を消去して図４（ｂ）のように画像Ｇ２０をａ行目からｂ行目までに表示した場合、ｃ行目の走査線１１２から選択してもよい。
また、図４（ａ）の画像Ｇ１０がｃ行目からｄ行目までに表示されている状態から、画像Ｇ１０を消去して図４（ｂ）のように画像Ｇ２０をａ行目からｂ行目まで表示した場合、ｃ行目からｂ行目までについて残像消去処理を行い、他の行については残像消去処理を行わないようにしてもよい。なお、コントローラー２は、表示画像を変更した場合、変更前の画像と変更後の画像との間で画素毎に排他的論理和をとり、結果が真となった画素１００の行を特定し、特定した行において行番号が最も小さい行から残像消去処理を実行するようにしてもよい。
【００４２】
上述した実施形態では、ステップＳ１０１とステップＳ１０２では選択されている行の画素１００は白または黒にされるが、ステップＳ１０１とステップＳ１０２においては、選択されている行の画素１００の階調を白と黒の間の中間調にしてもよい。また、ステップＳ１０２において選択されている行の画素１００の階調を中間調とした場合、ステップＳ１０２を設けないようにしてもよい。
【００４３】
上述した実施形態においては、ステップＳ１０１とステップＳ１０２では奇数列の階調と偶数列の階調を異なる階調としているが、走査線１１２の伸びる方向へ１画素毎に交互に階調を異ならせる構成に限定されるものではない。例えば、ステップＳ１０１では図９（ａ）に示したように１列目から２列ずつ交互に黒、白、黒、白、・・・となるように画素１００を駆動し、ステップＳ１０２では図９（ｂ）に示したように１列目から２列ずつ交互に白、黒、白、黒、・・・となるように画素１００を駆動するようにしてもよい。また、２列ずつ交互に白の画素と黒の画素を並べるのではなく、走査線１１２の伸びる方向に連続する同じ階調の画素１００の数を３つ以上としてもよい。また、１列を黒にした後に３列を白というように、走査線１１２の伸びる方向に連続する同じ階調の画素１００の数が白と黒とで異なる数であってもよい。
【００４４】
上述した実施形態の残像消去処理においては、走査線１１２は１行目からｍ行目まで順次排他的に選択されていくが、残像消去処理における走査線１１２の選択の順番は実施形態の順番に限定されるものではない。例えば、ｍ行目から始めて１行目まで順番に選択してもよい。また、奇数行の走査線１１２を順次排他的に選択した後、偶数行の走査線１１２を順次排他的に選択する構成であってもよい。
また、上述した実施形態の残像消去処理においては、走査線１１２は順次排他的に選択されていくが、２行以上同時に選択していく構成としてもよい。
【符号の説明】
【００４５】
１…電気光学装置、２…コントローラー、２Ａ…全体制御部、２Ｂ…描画部、２Ｃ…初期化部、２Ｄ…再描画部、３…表示部、４…走査線駆動回路、５…データ線駆動回路、６…ＶＲＡＭ、９Ａ〜９Ｆ…ボタン、１０…第１基板、１１…基板、１１ａ…接着層、１２…回路層、１３ａ…画素電極、２０…電気泳動層、２１…マイクロカプセル、２２…バインダー、３０…第２基板、３１…フィルム、３２…共通電極層、１００…画素、１１２…走査線、１１０…画素回路、１１４データ線、１３１…ＴＦＴ、１０００…電子機器、１００１…フレーム、Ｃ１…補助容量、Ｇ１０，Ｇ２０…画像
【図１】
2012194345.tif 000003
【図２】
2012194345.tif 000004
【図３】
2012194345.tif 000005
【図４】
2012194345.tif 000006
【図５】
2012194345.tif 000007
【図６】
2012194345.tif 000008
【図７】
2012194345.tif 000009
【図８】
2012194345.tif 000010
【図９】
2012194345.tif 000011